(57)【要約】  オゾン層への影響が少なく地球温暖化への影響が少なく、サイクル性能が良好な熱サイクル用作動媒体の提供。  トリフルオロエチレンとジフルオロエチレンを含有し、作動媒体に対するジフルオロエチレンの含有量が１．５質量％未満である熱サイクル用作動媒体。
2014178353.tif 000002
【特許請求の範囲】
【請求項１】
トリフルオロエチレンとジフルオロエチレンを含有し、作動媒体の全量に対する前記ジフルオロエチレンの割合が１．５質量％未満であることを特徴とする熱サイクル用作動媒体。
【請求項２】
前記ジフルオロエチレンが１，１−ジフルオロエチレンである、請求項１に記載の熱サイクル用作動媒体。
【請求項３】
作動媒体の全量に対する前記トリフルオロエチレンの割合が２０質量％以上である、請求項１または２に記載の熱サイクル用作動媒体。
【請求項４】
さらに、ヒドロフルオロカーボンおよび／またはヒドロフルオロオレフィンを含む、請求項１〜３のいずれか一項に記載の熱サイクル用作動媒体。
【請求項５】
前記ヒドロフルオロカーボンがジフルオロメタンである、請求項４に記載の熱サイクル用作動媒体。
【請求項６】
前記ヒドロフルオロオレフィンが２，３，３，３−テトラフルオロプロペンである、請求項４または５に記載の熱サイクル用作動媒体。
【請求項７】
トリフルオロエチレンとジフルオロエチレンとジフルオロメタンとを含む熱サイクル用作動媒体であって、作動媒体の全量に対する前記ジフルオロエチレンの割合が１．５質量％未満であり、作動媒体の全量に対する前記トリフルオロエチレンと前記ジフルオロメタンの合計量の割合が８０質量％以上であることを特徴とする熱サイクル用作動媒体。
【請求項８】
前記ジフルオロエチレンが１，１−ジフルオロエチレンである、請求項７に記載の熱サイクル用作動媒体。
【請求項９】
作動媒体の全量に対する前記トリフルオロエチレンの割合が２０質量％以上である、請求項７または８に記載の熱サイクル用作動媒体。
【請求項１０】
トリフルオロエチレンとジフルオロエチレンと２，３，３，３−テトラフルオロプロペンとを含む熱サイクル用作動媒体であって、作動媒体の全量に対する前記ジフルオロエチレンの割合が１．５質量％未満であり、作動媒体の全量に対する前記トリフルオロエチレンと前記２，３，３，３−テトラフルオロプロペンの合計量の割合が７０質量％以上であることを特徴とする熱サイクル用作動媒体。
【請求項１１】
前記ジフルオロエチレンが１，１−ジフルオロエチレンである、請求項１０に記載の熱サイクル用作動媒体。
【請求項１２】
作動媒体の全量に対する前記トリフルオロエチレンの割合が２０質量％以上である、請求項１０または１１に記載の熱サイクル用作動媒体。
【請求項１３】
トリフルオロエチレンとジフルオロエチレンとジフルオロメタンと２，３，３，３−テトラフルオロプロペンとを含む熱サイクル用作動媒体であって、作動媒体の全量に対する前記ジフルオロエチレンの割合が１．５質量％未満であることを特徴とする熱サイクル用作動媒体。
【請求項１４】
作動媒体の全量に対して、前記トリフルオロエチレンの割合が２０質量以上７０質量％未満であり、ジフルオロメタンの割合が３０質量％以上７５質量％以下であり、２，３，３，３−テトラフルオロプロペンの割合が５０質量％以下である、請求項１３に記載の熱サイクル用作動媒体。
【発明の詳細な説明】
【技術分野】
【０００１】
本発明は、熱サイクル用作動媒体に関する。
【背景技術】
【０００２】
従来から、冷凍機用冷媒、空調機器用冷媒、発電システム（廃熱回収発電等）用作動媒体、潜熱輸送装置（ヒートパイプ等）用作動媒体、二次冷却媒体等の熱サイクル用作動媒体としては、クロロトリフルオロメタン（ＣＦＣ−１３）、ジクロロジフルオロメタン（ＣＦＣ−１２）等のクロロフルオロカーボン（ＣＦＣ）、またはクロロジフルオロメタン（ＨＣＦＣ−２２）等のヒドロクロロフルオロカーボン（ＨＣＦＣ）が用いられてきた。しかし、ＣＦＣやＨＣＦＣは、成層圏のオゾン層への影響が指摘され、現在、規制の対象となっている。
なお、本明細書において、ハロゲン化炭化水素については、化合物名の後の括弧内にその化合物の略称を記すが、本明細書では必要に応じて化合物名に代えてその略称を用いる。【０００３】
前述の経緯から、熱サイクル用作動媒体としては、ＣＦＣやＨＣＦＣに代わって、オゾン層への影響が少ないジフルオロメタン（ＨＦＣ−３２）、テトラフルオロエタン（ＨＦＣ−１３４）、ペンタフルオロエタン（ＨＦＣ−１２５）等のヒドロフルオロカーボン（ＨＦＣ）が用いられる。例えば、Ｒ４１０Ａ（ＨＦＣ−３２とＨＦＣ−１２５の質量比１：１の擬似共沸混合冷媒）等は、従来から広く使用されてきた冷媒である。しかし、ＨＦＣに関しても、地球温暖化の原因となる可能性が指摘されているため、オゾン層への影響が少なく、地球温暖化係数（ＧＷＰ）の低い熱サイクル用作動媒体の開発が急務となっている。【０００４】
最近、オゾン層への影響が少なく、地球温暖化への影響が少ない熱サイクル用作動媒体として、大気中のＯＨラジカルによって分解されやすい炭素−炭素二重結合を有するヒドロフルオロオレフィン（ＨＦＯ）に期待が集まっている。なお、本明細書では、特に断りのない限り、飽和のＨＦＣをＨＦＣと示し、炭素−炭素二重結合を有するＨＦＯとは区別して用いる。【０００５】
ＨＦＯを用いた作動媒体として、例えば特許文献１には、トリフルオロエチレン（ＨＦＯ−１１２３）を含む組成物が提示されている。特許文献１においては、この作動媒体の不燃性、サイクル性能等を高める目的で、ＨＦＯ−１１２３に各種のＨＦＣやＨＦＯを組み合わせて使用することも提示されている。【０００６】
このようにＨＦＯ−１１２３を含む作動媒体において、サイクル性能に優れる組成物が求められている。
ＨＦＯ−１１２３は各種の方法により製造されるが、どの製造方法を採る場合にも、生成物中に不純物が存在する。そして、このような不純物を含むＨＦＯ−１１２３（以下、粗ＨＦＯ−１１２３ともいう。）をそのまま用いた場合には、サイクル性能に優れる作動媒体が得られない場合があった。【０００７】
そのため、作動媒体として用いるためには、粗ＨＦＯ−１１２３からの不純物を低減する工程が必須である。
【先行技術文献】
【特許文献】
【０００８】
【特許文献１】ＷＯ２０１２／１５７７６４号
【発明の概要】
【発明が解決しようとする課題】
【０００９】
本発明は、オゾン層への影響が少なく、地球温暖化への影響が少ないうえに、サイクル性能優れる、生産性が高い熱サイクル用作動媒体を提供することを目的とする。また、本発明は、粗ＨＦＯ−１１２３からの不純物を低減する工程を簡略化するためになされたものである。
【課題を解決するための手段】
【００１０】
本発明者らは、種々の検討を重ねた結果、ＨＦＯ−１１２３を含み、ジフルオロエチレンの含有量が低い作動媒体を用いることにより、上記課題を解決できることを見出し、本発明を完成させるに至った。さらに、上記課題を解決できる作動媒体として、ＨＦＯ−１１２３とＨＦＣ−３２とを含みかつジフルオロエチレンの含有量が低い作動媒体、および、ＨＦＯ−１１２３と２，３，３，３−テトラフルオロプロペン（ＨＦＯ−１２３４ｙｆ）とを含みかつジフルオロエチレンの含有量が低い作動媒体も見出した。【００１１】
すなわち、本発明は、ＨＦＯ−１１２３とジフルオロエチレンを含有し、作動媒体の全量に対する前記ジフルオロエチレンの割合が１．５質量％未満であることを特徴とする熱サイクル用作動媒体を提供する。
また本発明は、トリフルオロエチレンとジフルオロエチレンとジフルオロメタンとを含む熱サイクル用作動媒体であって、作動媒体の全量に対する前記ジフルオロエチレンの割合が１．５質量％未満であり、作動媒体の全量に対する前記トリフルオロエチレンと前記ジフルオロメタンの合計量の割合が８０質量％以上であることを特徴とする熱サイクル用作動媒体を提供する。
さらに本発明は、トリフルオロエチレンとジフルオロエチレンと２，３，３，３−テトラフルオロプロペンとを含む熱サイクル用作動媒体であって、作動媒体の全量に対する前記ジフルオロエチレンの割合が１．５質量％未満であり、作動媒体の全量に対する前記トリフルオロエチレンと前記２，３，３，３−テトラフルオロプロペンの合計量の割合が７０質量％以上であることを特徴とする熱サイクル用作動媒体を提供する。
さらに、また、本発明は、トリフルオロエチレンとジフルオロエチレンとジフルオロメタンと２，３，３，３−テトラフルオロプロペンとを含む熱サイクル用作動媒体であって、作動媒体の全量に対する前記ジフルオロエチレンの割合が１．５質量％未満であることを特徴とする熱サイクル用作動媒体を提供する。
【発明の効果】
【００１２】
本発明の熱サイクル用作動媒体（以下、作動媒体とも記す。）は、オゾン層への影響が少なく、かつ地球温暖化への影響が少ない。また、ＨＦＯ−１１２３の製造の際に不純物として存在するジフルオロエチレンの含有量が、作動媒体の全量に対して１．５質量％未満に調整されているので、サイクル性能に優れる熱サイクル用作動媒体が得られる。
【図面の簡単な説明】
【００１３】
【図１】本発明の実施例において、作動媒体のサイクル性能を測定するために使用する冷凍サイクルシステムを示した概略構成図である。
【図２】図１の冷凍サイクルシステムにおける作動媒体の状態変化を、圧力−エンタルピ線図上に記載したサイクル図である。
【発明を実施するための形態】
【００１４】
＜作動媒体＞
本発明の実施形態の作動媒体は、ＨＦＯ−１１２３とジフルオロエチレンを含有し、作動媒体の全量に対するジフルオロエチレンの割合が１．５質量％未満である。
実施形態の作動媒体は、ＨＦＯ−１１２３とジフルオロエチレンの他に、後述する化合物をさらに含有してもよい。
【００１５】
＜ＨＦＯ−１１２３＞
ＨＦＯ−１１２３は、地球温暖化係数（ＧＷＰ）が低く、オゾン層への影響が少なく地球温暖化への影響が少ない。また、ＨＦＯ−１１２３は、作動媒体としての能力に優れ、特にサイクル性能（例えば、後述する方法で求められる成績係数および冷凍能力）に優れている。
ＨＦＯ−１１２３の含有量は、サイクル性能の点から、作動媒体の全量（１００質量％）に対して２０質量％以上が好ましく、３０質量％以上がより好ましく、４０質量％以上がさらに好ましい。
【００１６】
ＨＦＯ−１１２３は、単独で用いた場合に高温または高圧下で着火源があると分解反応を起こす、いわゆる自己分解性を有することが知られている。ＨＦＯ−１１２３の自己分解反応防止の観点からは、ＨＦＯ−１１２３の含有量は、作動媒体の全量に対して８０質量％以下であることが好ましく、７０質量％以下がより好ましく、６０質量％以下が最も好ましい。
本発明の作動媒体においては、ＨＦＯ−１１２３を、後述するＨＦＣ−３２等と混合してＨＦＯ−１１２３の含有量を抑えることで、自己分解反応を抑えることができる。ＨＦＯ−１１２３の含有割合を８０質量％以下とした場合、熱サイクルシステムに適用する場合の温度や圧力条件下では自己分解性を有しないため、安全性の高い作動媒体を得ることができる。
【００１７】
＜ジフルオロエチレン＞
ジフルオロエチレンは、ＨＦＯ−１１２３の製造の際に副生し、不純物として生成組成物中に存在する化合物である。ジフルオロエチレンとしては、１，１−ジフルオロエチレン（ＨＦＯ−１１３２ａ）と、Ｅ−および／またはＺ−１，２−ジフルオロエチレン（ＨＦＯ−１１３２）を挙げることができる。なお、Ｅ−および／またはＺ−は、Ｅ体とＺ体の混合物を意味し、Ｅ／Ｚ−とも示す。
本発明におけるジフルオロエチレンの量はＨＦＯ−１１３２ａとＨＦＯ−１１３２の合計量を意味するが、本発明の作動媒体としては特にＨＦＯ−１１２３の製造の際に副生し易く、不純物として生成組成物中に残存しやすいＨＦＯ−１１３２ａが少ないことが好ましい。
【００１８】
作動媒体がジフルオロエチレンを含有すると、サイクル性能が低い。しかし、ジフルオロエチレンの含有量を作動媒体の全量に対して１．５質量％未満とした場合には、十分に優れたサイクル性能を有する作動媒体を得ることができる。
なお、ジフルオロエチレンの含有量は、作動媒体の全量に対して４ｐｐｍ以上とすることが好ましく、５０ｐｐｍ以上がさらに好ましく、１００ｐｐｍ以上が最も好ましい。含有量が４ｐｐｍ以上であれば、粗ＨＦＯ−１１２３を精製し不純物としてのジフルオロエチレンを低減する工程が簡略化できるという利点がある。
【００１９】
＜ＨＦＣおよび／またはＨＦＯ＞
本発明の作動媒体は、ＨＦＯ−１１２３およびジフルオロエチレン以外に、ヒドロフルオロカーボン（ＨＦＣ）、およびその他のヒドロフルオロオレフィン（ＨＦＯ）をさらに含むことができる。
【００２０】
オゾン層への影響が少なく、かつサイクル性能に優れる点から、ＨＦＣとしては、ジフルオロメタン（ＨＦＣ−３２）、１，１−ジフルオロエタン（ＨＦＣ−１５２ａ）、１，１，１−トリフルオロエタン（ＨＦＣ−１４３ａ）、１，１，２，２−テトラフルオロエタン（ＨＦＣ−１３４）、１，１，１，２−テトラフルオロエタン（ＨＦＣ−１３４ａ）、およびペンタフルオロエタン（ＨＦＣ−１２５）が挙げられる。これらのＨＦＣは、１種を単独で用いても２種以上を組み合わせて用いてもよい。これらの中でも、ＨＦＣ−３２が特に好ましい。
【００２１】
その他のＨＦＯとしては、オゾン層への影響が少なくサイクル特性に優れる点から、２，３，３，３−テトラフルオロプロペン（ＨＦＯ−１２３４ｙｆ）、２−フルオロプロペン（ＨＦＯ−１２６１ｙｆ）、１，１，２−トリフルオロプロペン（ＨＦＯ−１２４３ｙｃ）、トランス−１，２，３，３，３−ペンタフルオロプロペン（ＨＦＯ−１２２５ｙｅ（Ｅ））、シス−１，２，３，３，３−ペンタフルオロプロペン（ＨＦＯ−１２２５ｙｅ（Ｚ））、トランス−１，３，３，３−テトラフルオロプロペン（ＨＦＯ−１２３４ｚｅ（Ｅ））、シス−１，３，３，３−テトラフルオロプロペン（ＨＦＯ−１２３４ｚｅ（Ｚ））、３，３，３−トリフルオロプロペン（ＨＦＯ−１２４３ｚｆ）等が挙げられる。これらのＨＦＣは、１種を単独で用いても２種以上を組み合わせて用いてもよい。なかでも、高い臨界温度を有し、安全性、サイクル性能に優れる点から、ＨＦＯ−１２３４ｙｆ、ＨＦＯ−１２３４ｚｅ（Ｅ）、ＨＦＯ−１２３４ｚｅ（Ｚ）が好ましく、ＨＦＯ−１２３４ｙｆが特に好ましい。
【００２２】
＜ＨＦＣ−３２＞
本発明の作動媒体がＨＦＣ−３２を含有する場合、ＨＦＯ−１１２３とＨＦＣ−３２の各含有量の割合は、ＨＦＯ−１１２３とＨＦＣ−３２との合計を１００質量％として、ＨＦＯ−１１２３を１０〜９９質量％、ＨＦＣ−３２を９０〜１質量％が好ましく、ＨＦＯ−１１２３を２０〜９９質量％、ＨＦＣ−３２を８０〜１質量％がより好ましく、ＨＦＯ−１１２３を２５〜９９質量％、ＨＦＣ−３２を７５〜１質量％が特に好ましい。特に、ＨＦＯ−１１２３の含有割合が９０質量％であり、ＨＦＣ−３２の含有割合が１０質量％である組成物は、気液両相の組成比の差が極めて小さく、共沸組成物となるので安定性に優れている。
【００２３】
また、ＨＦＯ−１１２３とＨＦＣ−３２の合計量は、作動媒体の全量に対して６０質量％以上であることが好ましく、７０質量％以上がより好ましい。ＨＦＯ−１１２３の含有量は、作動媒体の全量に対して２０質量％以上であることが好ましく、４０質量％以上であることがより好ましい。
【００２４】
＜ＨＦＯ−１２３４ｙｆ＞
本発明の作動媒体がＨＦＯ−１２３４ｙｆを含有する場合、ＨＦＯ−１１２３とＨＦＯ−１２３４ｙｆの合計量に対するＨＦＯ−１１２３の含有量の割合は、３５〜９５質量％が好ましく、４０〜９５質量％がより好ましく、５０〜９０質量％がさらに好ましく、５０〜８５質量％がよりさらに好ましく、６０〜８５質量％が最も好ましい。
ＨＦＯ−１１２３とＨＦＯ−１２３４ｙｆの合計量の作動媒体の全量に対する割合は、７０質量％以上が好ましい。８０質量％以上がより好ましく、９０質量％以上がさらに好ましく、９５質量％以上が特に好ましい。ＨＦＯ−１１２３の含有量は、作動媒体の全量に対して２０質量％以上であることが好ましく、４０質量％以上であることがより好ましい。ＨＦＯ−１１２３とＨＦＯ−１２３４ｙｆの合計量が上記範囲内であれば、熱サイクルに用いた際に一定の能力を維持しながら効率をより高めることで、良好なサイクル性能が得られる。
【００２５】
さらに、本発明の作動媒体が、ＨＦＣ−３２とＨＦＯ−１２３４ｙｆの両方を含有する場合、ＨＦＯ−１１２３とＨＦＣ−３２とＨＦＯ−１２３４ｙｆの合計量は、作動媒体の全量に対して９０質量％超が好ましい。また、ＨＦＯ−１１２３とＨＦＣ−３２とＨＦＯ−１２３４ｙｆの合計量に対する、ＨＦＯ−１１２３の割合は２０質量以上７０質量％未満であり、同じくＨＦＣ−３２の割合は３０質量％以上７５質量％以下であり、同じくＨＦＯ−１２３４ｙｆの割合は５０質量％以下であることが好ましい。ＨＦＯ−１２３４ｙｆの割合は、より好ましくは４０質量％以下であり、最も好ましくは３０質量％である。
ＨＦＯ−１１２３をはじめとする各成分の割合を前記範囲内にすることで、地球温暖化への影響を抑えつつ、熱サイクルに用いた際に実用上十分なサイクル性能が得られる作動媒体とすることができる。
【００２６】
＜その他の成分＞
本発明の作動媒体には、ＨＦＯ−１１２３、ＨＦＣ−３２、ＨＦＯ−１２３４ｙｆおよびジフルオロエチレン以外に、その他の成分を含有してもよい。その他の成分の含有量は、作動媒体の全量を１００質量％として、ジフルオロエチレンとその他の成分の合計量で１．５質量％未満が好ましく、１．４質量％以下がより好ましい。
【００２７】
その他の成分は、ＨＦＯ−１１２３の製造の際に生成する組成物（例えば、反応器からの出口ガスをいう。以下同様である。）に含まれる不純物（原料中の不純物、中間生成物、副生物等が含まれる。以下同様である。）、ＨＦＣ−３２の製造の際に生成する組成物に含まれる不純物、ＨＦＯ−１２３４ｙｆの製造の際に生成する組成物に含まれる不純物である。
【００２８】
その他の成分の化合物の略称、化学式および名称を、表１および表２に示す。なお、表１および表２は、ＨＦＯ−１１２３、ジフルオロエチレン（ＨＦＯ−１１３２ａおよびＨＦＯ−１１３２）、ＨＦＣ−３２およびＨＦＯ−１２３４ｙｆの略称、化学式および名称も併せて示す。
【００２９】
【表１】
2014178353.tif 000003
【００３０】
【表２】
2014178353.tif 000004
【００３１】
次に、ＨＦＯ−１１２３、ＨＦＣ−３２、およびＨＦＯ−１２３４ｙｆの各化合物を製造する方法と、それらの製造時に得られた組成物に含有される不純物について説明する。
【００３２】
＜ＨＦＯ−１１２３の製造＞
ＨＦＯ−１１２３を製造する方法としては、例えば、（Ｉ）クロロトリフルオロエチレン（ＣＴＦＥ）（ＣＦＯ−１１１３）の水素還元と、（II）クロロジフルオロメタン（ＨＣＦＣ−２２）とクロロフルオロメタン（ＨＣＦＣ−３１）との熱分解を伴う合成、および（III）１，１，１，２−テトラフルオロエタン（ＨＦＣ−１３４ａ）と固体反応剤との接触反応の３つの方法を挙げることができる。
【００３３】
（Ｉ）ＣＦＯ−１１１３の水素還元
ＣＦＯ−１１１３と水素とを、触媒担持担体が充填された触媒層を有する反応器内で気相で反応させ、ＨＦＯ−１１２３を含むガスを生成する。
この方法では、反応器内で［化１］の反応式に示す反応が行われる。
【化１】
2014178353.tif 000005
【００３４】
原料組成物におけるＣＦＯ−１１１３と水素の割合は、ＣＦＯ−１１１３の１モルに対して水素が０．０１〜４．０モルの範囲である。反応器内の圧力は、取り扱い性の点から、常圧が好ましい。触媒としてはパラジウム触媒が好ましく、パラジウム触媒は活性炭等の担体に担持して用いる。気相反応を行うために、触媒層の温度は、ＣＦＯ−１１１３と水素を含む原料組成物（混合ガス）の露点以上の温度とする。２２０℃から２４０℃の範囲が好ましい。原料化合物であるＣＦＯ−１１１３と触媒との接触時間は、４〜６０秒間が好ましい。
【００３５】
このようなＣＦＯ−１１１３の水素還元においては、ＨＦＯ−１１２３を含む組成物を反応器の出口ガスとして得ることができる。出口ガスに含有されるＨＦＯ−１１２３以外の化合物としては、未反応原料であるＣＦＯ−１１１３に加えて、ＨＦＯ−１１３２、ＨＦＯ−１１３２ａ、ＨＣＦＯ−１１２２、ＨＣＦＯ−１１２２ａ、ＨＦＣ−１４３、メタン、ＨＦＣ−１５２ａ、ＨＣＦＣ−１４２、ＨＣＦＣ−１４２ｂ、ＨＣＦＣ−１３３、ＨＣＦＣ−１３３ｂ、ＨＣＦＣ−１２３ａ、ＣＦＣ−１１３、およびＣＦＯ−１１１２等が挙げられる。
【００３６】
（II）ＨＣＦＣ−２２とＨＣＦＣ−３１との熱分解を伴う合成
ＨＣＦＣ−２２とＨＣＦＣ−３１を含む原料組成物を用い、熱媒体の存在下で熱分解を伴う合成反応によりＨＦＯ−１１２３を製造する。
この製造方法では、ＨＣＦＣ−２２の１モルに対してＨＣＦＣ−３１を０．０１〜４．０モルの割合で予め混合し、または別々に反応器に供給して反応器内に滞留させ、一方熱媒体を反応器に供給し、反応器内で前記原料組成物と接触させる。反応器内の温度は、４００〜１２００℃とすることが好ましい。
【００３７】
この製造方法における反応器内の主な反応を、［化２］の式に示す。
【化２】
2014178353.tif 000006
【００３８】
原料組成物は、常温のまま反応器に導入してもよいが、反応器内での反応性を高めるために、予め加熱してから反応器に導入してもよい。反応器に供給するＨＣＦＣ−３１の温度は０〜６００℃とするのが好ましく、ＨＣＦＣ−２２の温度は常温（２５℃）以上６００℃以下とするのが好ましい。
熱媒体は、反応器内の温度で熱分解が生じない媒体であり、水蒸気を５０体積％以上含み、残部が窒素および／または二酸化炭素である気体の使用が好ましい。熱媒体の供給量は、熱媒体と前記原料組成物の供給量の合計に対して２０〜９８体積％が好ましい。熱媒体と原料組成物との反応器内での接触時間は、０．０１〜１０秒間とするのが好ましく、反応器内の圧力は、ゲージ圧で０〜２．０ＭＰａとするのが好ましい。
【００３９】
このようなＨＣＦＣ−２２とＨＣＦＣ−３１との熱分解を伴う合成においては、ＨＦＯ−１１２３を含む組成物を反応器の出口ガスとして得ることができる。出口ガスに含有されるＨＦＯ−１１２３以外の化合物としては、未反応原料であるＨＣＦＣ−２２およびＨＣＦＣ−３１に加えて、ＨＦＯ−１１３２、ＨＦＯ−１１３２ａ、ＨＦＯ−１１４１、ＣＦＯ−１１１３、ＨＣＦＯ−１１２２、ＨＣＦＯ−１１２２ａ、ＨＦＣ−１４３、ＦＯ−１１１４、ＨＣＦＯ−１１３１、ＨＦＯ−１２５２ｚｆ、ＨＦＯ−１２４３ｚｆ、ＨＦＯ−１２３４ｙｆ、ＨＦＯ−１２３４ｚｅ、ＦＯ−１２１６、ＨＦＣ−１２５、ＨＦＣ−１３４、ＨＦＣ−１３４ａ、ＨＦＣ−１４３ａ、ＨＣＦＣ−１２４、ＨＣＦＣ−１２４ａ、ＨＦＣ−２２７ｃａ、ＨＦＣ−２２７ｅａ、ＨＦＣ−２３６ｆａ、ＨＦＣ−２３６ｅａ、ＣＦＣ−１２、ＨＦＣ−２３、ＨＦＣ−３２、ＨＦＣ−４１、ＨＣＣ−４０、ＲＣ−３１８およびメタン等が挙げられる。
【００４０】
（III）ＨＦＣ−１３４ａと固体反応剤との接触反応
ＨＦＣ−１３４ａを含む原料ガスと固体反応剤とを反応器内で接触させて反応させ、ＨＦＯ−１１２３を含む組成物（ガス）を生成する。固体反応剤としては、例えば、粒子状の酸化カルシウムを使用することができる。
この態様における反応器内の主な反応を、［化３］の式に示す。
【化３】
2014178353.tif 000007
【００４１】
原料ガス（１００モル％）中のＨＦＣ−１３４ａの含有量は、５〜１００モル％が好ましい。また、反応器内の温度は２００〜５００℃が好ましく、圧力はゲージ圧で０〜２ＭＰａが好ましい。
【００４２】
また、特に、所定の平均粒子径（１μｍ〜５０００μｍ）の粒子状の固体反応剤（例えば、炭酸カリウムおよび／または酸化カルシウム）を使用し、この固体反応剤の層中にＨＦＣ−１３４ａを含む原料ガスを流通させて、固体反応剤層が流動化した状態でＨＦＣ−１３４ａを接触させる方法を採ることもできる。この態様では、ＨＦＣ−１３４ａを固体反応剤と接触させる温度は１００℃〜５００℃の範囲が好ましい。
【００４３】
このようなＨＦＣ−１３４ａと固体反応剤との接触反応においては、ＨＦＯ−１１２３を含む組成物を反応器の出口ガスとして得ることができる。出口ガスに含有されるＨＦＯ−１１２３と未反応の原料成分（ＨＦＣ−１３４ａ）以外の化合物としては、フッ化水素、Ｅ／Ｚ−ＨＦＯ−１１３２、ＨＦＯ−１１３２ａ、ＨＦＣ−１４３、ＨＦＣ−１４３ａ、メタン、エタン、エチレン、プロパン、プロピレン、ブタン、イソブタン、１−ノルマルブテン、２−ノルマルブテン、イソブテン、ＨＦＯ−１１４１、ＨＦＯ−１２５２ｚｆ、ＨＦＯ−１２４３ｚｆ、ＨＦＯ−１２３４ｙｆ、Ｅ／Ｚ−ＨＦＯ−１２３４ｚｅ、ＦＯ−１２１６、ＨＦＣ−１２５、ＨＦＣ−１３４、ＨＦＣ−１４３ａ、ＨＦＣ−２２７ｃａ、ＨＦＣ−２２７ｅａ、ＨＦＣ−２３６ｆａ、ＨＦＣ−２３６ｅａ、ＨＦＣ−３２、ＨＦＣ−２３およびＨＦＣ−４１等が挙げられる。
【００４４】
このように、ＨＦＯ−１１２３の各製造方法では、ＨＦＯ−１１２３とともに、前記したジフルオロエチレン化合物（ＨＦＯ−１３２ａおよび／またはＨＦＯ−１３２）と、各種の化合物が、反応器からの出口ガスのような生成組成物中に不純物として存在する。これらの不純物から、前記ジフルオロエチレン化合物とＨＦＣ−３２およびＨＦＯ−１２３４ｙｆを除いた化合物が、前記した第１の化合物である。
【００４５】
＜ＨＦＣ−３２の製造＞
ＨＦＣ−３２を製造する方法としては、ジクロロメタン（ＨＣＣ−３０）とフッ化水素とを、フッ化アルミニウム触媒、またはフッ化アルミニウムを担体と混合成型した触媒、あるいはフッ化クロムを担体に担持させた触媒を用い、２００〜５００℃の温度で気相反応させる方法を挙げることができる。この方法では、反応器の出口ガスに、目的とするＨＦＯ−３２とともに、ＨＦＣ−３１が含有される。また、未反応のＨＣＣ−３０も含有される。
【００４６】
また、ＨＦＣ−３２を製造する別の態様として、ＨＣＣ−３０とフッ化水素とを、五フッ化アンチモンと三フッ化アンチモンとの混合物、または所定濃度の五フッ化アンチモンのようなフッ素化触媒の存在下、液相で反応させる（８０〜１５０℃の温度、８〜８０ｋｇ／ｃｍ２の圧力）方法を挙げることができる。この方法では、ＨＦＣ−３２の他に、不純物として、ＨＦＣ−３１、ＨＦＣ−２３およびＨＣＣ−４０が生成する。
【００４７】
このようにＨＦＣ−３２の各製造方法では、不純物として、ＨＣＣ−３０、ＨＦＣ−３１、ＨＦＣ−２３、およびＨＣＣ−４０が生成する。これらの不純物が前記した第１の化合物である。
【００４８】
＜１２３４ｙｆの製造＞
ＨＦＯ−１２３４ｙｆを製造する方法としては、（ｉ）ジクロロペンタフルオロプロパン（ＨＣＦＣ−２２５）の異性体混合物を用いる方法（２２５法）、（ii）ヘキサフルオロプロペン（ＦＯ−１２１６）を原料化合物とする方法（ＨＦＰ法）、（iii）１，１，２，３−テトラクロロプロペン（ＨＣＣ−１２３０）を出発物質とする方法（ＴＣＰ法）、（iv）熱媒体存在下、原料組成物を熱分解を伴う合成反応させる方法等を挙げることができる。
【００４９】
（ｉ）２２５法
ＨＣＦＣ−２２５の異性体混合物を用いてＨＦＯ−１２３４ｙｆを製造する。この方法では、以下の［化４］に示す反応経路の通り、原料中の１，１−ジクロロ−２，２，３，３，３−ペンタフルオロプロパン（ＨＣＦＣ−２２５ｃａ）を選択的に脱フッ化水素させて１，１−ジクロロ−２，３，３，３−テトラフルオロプロペン（ＣＦＯ−１２１４ｙａ）を製造し、得られるＣＦＯ−１２１４ｙａを還元してＨＦＯ−１２３４ｙｆを製造する。
【化４】
2014178353.tif 000008
【００５０】
この製造方法において、ＨＦＯ−１２３４ｙｆとともに得られる不純物として、以下の化合物が挙げられる。すなわち、原料に含まれる不純物として、ＨＣＦＣ−２２５ｃａ、その異性体であるＨＣＦＣ−２２５ｃｂ、ＨＣＦＣ−２２５ａａ等が挙げられる。また、中間生成物として、ＣＦＯ−１２１４ｙａ、ＨＣＦＯ−１２２４ｙｄ等が挙げられる。さらに、副生物として、ＨＣＦＣ−２２５ｃａの還元体であるＨＦＣ−２５４ｅｂ、ＨＣＦＣ−２２５ａａが脱塩化水素反応した後、還元して得られるＨＦＯ−１２２５ｚｃ、ＨＦＯ−１２３４ｙｆの過還元体であるＨＦＯ−１２４３ｚｆ、ＨＦＯ−１２５２ｚｆ等が挙げられる。
【００５１】
（ｉｉ）ＨＦＰ法
ＦＯ−１２１６（ＰＦＯ−１２１６ｙｃ）を原料化合物とし、以下の［化５］に示す反応経路によりＨＦＯ−１２３４ｙｆを製造する。
【化５】
2014178353.tif 000009
【００５２】
この製造方法においては、ＨＦＯ−１２３４ｙｆとともに得られる不純物として、ＦＯ−１２１６、ＨＦＯ−１２２５ｙｅ、ＨＦＯ−１２３４ｚｅ等が挙げられる。
【００５３】
さらに、１，２，３−トリクロロプロパンを原料化合物として、以下の［化６］に示す反応経路によりＨＦＯ−１２３４ｙｆを製造することができる。この製造方法では、ＨＦＣ−２４５ｃｂが有機不純物となる。
【化６】
2014178353.tif 000010
【００５４】
（iii）ＴＣＰ法
ＨＣＣ−１２３０を出発物質として、ＨＦＯ−１２３４ｙｆを生成する。すなわち、以下の［化７］に示す反応経路の通り、ＨＣＣ−１２３０をフッ化水素でフッ素化して２−クロロ−３，３，３−トリフルオロプロペン（ＨＣＦＯ−１２３３ｘｆ）とした後、このＨＣＦＯ−１２３３ｘｆをフッ化水素と反応させて２−クロロ−１，１，１，２−テトラフルオロプロパン（ＨＣＦＣ−２４４ｂｂ）とし、さらにＨＣＦＣ−２４４ｂｂを脱ハロゲン化水素してＨＦＯ−１２３４ｙｆを生成する。
【００５５】
【化７】
2014178353.tif 000011
【００５６】
この製造方法においては、ＨＣＦＯ−１２３３ｘｆ、ＨＣＦＣ−２４４ｂｂ、ＨＦＯ−１２３４ｚｅ、ＨＦＯ−１２４３ｚｆ、１，１，１，２，３−ペンタフルオロプロパン（ＨＦＣ−２４５ｅｂ）等が、不純物として生成する。
【００５７】
（iv）熱分解を伴う合成法
熱媒体存在下、原料組成物から熱分解を伴う合成反応によりＨＦＯ−１２３４ｙｆを製造する。熱媒体としては、水蒸気、窒素、二酸化炭素等が使用される。水蒸気を５０体積％以上含み、残部が窒素および／または二酸化炭素である気体の使用が好ましい。
【００５８】
原料組成物としては、反応器内で熱媒体との接触により分解してジフルオロカルベン（Ｆ２Ｃ：）を発生し得る化合物と、クロロメタンまたはメタンとが混合して用いられる。
具体的には、以下の（iv−１）〜（iv−６）に示す化合物を含む原料組成物が使用される。そして、それぞれの項に示す化合物が、ＨＦＯ−１２３４ｙｆおよび未反応の原料成分以外に、反応器からの出口ガスの成分（不純物）として得られる。
【００５９】
（iv−１）ＨＣＦＣ−２２とＨＣＣ−４０
ＨＣＦＣ−２２とＨＣＣ−４０を所定の割合で混合して、または別々に反応器に供給するとともに、反応器に熱媒体を供給し、反応器内でＨＣＦＣ−２２とＨＣＣ−４０を含む原料組成物と熱媒体とを接触させ、熱分解を伴う合成反応により、ＨＦＯ−１２３４ｙｆとＨＦＯ−１１３２ａを生成する。反応器内の温度は、４００〜１２００℃とする。反応器内の主な反応を以下の［化８］に示す。
【００６０】
【化８】
2014178353.tif 000012
【００６１】
反応器の出口ガスに含有されるＨＦＯ−１２３４ｙｆとＨＦＯ−１１３２ａおよび未反応の原料成分以外の化合物としては、メタン、エチレン、ＦＯ−１１１４、ＦＯ−１２１６、ＣＦＯ−１１１３、ＨＦＯ−１１２３、ＲＣ-３１８、ＨＦＯ−１２３４ｚｅ）、ＨＦＯ−１１３２等が挙げられる。
【００６２】
（iv−２）ＨＣＦＣ−２２とＨＣＣ−４０とＦＯ−１１１４
ＨＣＦＣ−２２とＨＣＣ−４０とＦＯ−１１１４を、予め混合してまたは別々に反応器に供給し、反応器内に所定の時間滞留させ、熱媒体を反応器に供給し、反応器内で原料組成物と熱媒体とを接触させる。そして、熱分解を伴う合成反応により、ＨＦＯ−１２３４ｙｆとＨＦＯ−１１３２ａを生成する。反応器内の温度は、４００〜１２００℃とする。反応器内の主な反応を以下の［化９］に示す。
【００６３】
【化９】
2014178353.tif 000013
【００６４】
反応器の出口ガスに含有されるＨＦＯ−１２３４ｙｆとＨＦＯ−１１３２ａおよび未反応の原料成分以外の化合物としては、メタン、エチレン、ＦＯ−１１１４、ＦＯ−１２１６、ＣＦＯ−１１１３、ＨＦＯ−１１２３、ＲＣ３１８、ＨＦＯ−１２４３ｚｆ等が挙げられる。
【００６５】
（iv−３）Ｒ３１８とＨＣＣ−４０
熱媒体存在下、Ｒ３１８とＨＣＣ−４０を含む原料組成物から、熱分解を伴う合成反応によりＨＦＯ−１２３４ｙｆおよびＨＦＯ−１１３２ａを製造する。反応器の出口ガスに含有されるＨＦＯ−１２３４ｙｆとＨＦＯ−１１３２ａおよび未反応の原料成分以外の化合物としては、メタン、エチレン、ＨＦＣ−２２、ＦＯ−１１１４、ＦＯ−１２１６、ＣＦＯ−１１１３、ＨＦＯ−１１２３、ＨＦＯ−１２３４ｚｅ、ＨＦＯ−１１３２等が挙げられる。
【００６６】
（iv−４）ＦＯ−１２１６とＨＣＣ−４０
熱媒体存在下、ＦＯ−１２１６とＨＣＣ−４０を含む原料組成物から、熱分解を伴う合成反応によりＨＦＯ−１２３４ｙｆおよびＨＦＯ−１１３２ａを製造する。反応器の出口ガスに含有されるＨＦＯ−１２３４ｙｆとＨＦＯ−１１３２ａおよび未反応の原料成分以外の化合物としては、メタン、エチレン、ＨＦＣ−２２、ＨＦＣ−２３、ＦＯ−１１１４、ＦＯ−１２１６、ＣＦＯ−１１１３、ＲＣ３１８、ＨＦＯ−１１２３、ＨＦＯ−１２３４ｚｅ、ＨＦＯ−１１３２等が挙げられる。
【００６７】
（iv−５）ＨＦＣ−２２および／またはＦＯ−１１１４とメタン
熱媒体存在下、ＨＦＣ−２２および／またはＦＯ−１１１４と、メタンを含む原料組成物から、熱分解を伴う合成反応によりＨＦＯ−１２３４ｙｆとＨＦＯ−１１３２ａを製造する。反応器の出口ガスに含有されるＨＦＯ−１２３４ｙｆとＨＦＯ−１１３２ａおよび未反応の原料成分以外の化合物としては、メタン、エチレン、ＦＯ−１１１４、ＦＯ−１２１６、ＣＦＯ−１１１３、ＲＣ３１８、ＨＦＯ−１１２３、ＨＦＯ−１２４３ｚｆ等が挙げられる。
【００６８】
（iv−６）ＦＯ−１１１４とＨＣＣ−４０
熱媒体存在下、ＦＯ−１１１４とＨＣＣ−４０を含む原料組成物から、熱分解を伴う合成反応によりＨＦＯ−１２３４ｙｆを製造する。原料組成物および熱媒体が供給される反応器内の温度は４００〜８７０℃とする。反応器の出口ガスに含有されるＨＦＯ−１２３４ｙｆおよび未反応の原料成分以外の化合物としては、メタン、エチレン、ＦＯ−１２１６、ＣＦＯ−１１１３、ＲＣ３１８、ＨＦＯ−１１３２ａ、ＨＦＯ−１１２３、ＨＦＯ−１２４３ｚｆ等が挙げられる。
【００６９】
以上記載したように、本発明の作動媒体は、その他の成分を含有することができるので、作動媒体としての生産性が高い。
【００７０】
本発明の作動媒体は、オゾン層への影響が少なく、かつ地球温暖化への影響が少ないうえに、サイクル性能に優れており、熱サイクルシステム用の作動媒体として有用である。熱サイクルシステムとしては、具体的には、冷凍・冷蔵機器、空調機器、発電システム、熱輸送装置および二次冷却機等が挙げられる。
【００７１】
空調機器として、具体的には、ルームエアコン、パッケージエアコン（店舗用パッケージエアコン、ビル用パッケージエアコン、設備用パッケージエアコン等）、ガスエンジンヒートポンプ、列車空調装置、自動車用空調装置等が挙げられる。
冷凍・冷蔵機器として、具体的には、ショーケース（内蔵型ショーケース、別置型ショーケース等）、業務用冷凍・冷蔵庫、自動販売機、製氷機等が挙げられる。
発電システムとして、具体的には、蒸発器において地熱エネルギー、太陽熱、５０〜２００℃程度の中〜高温度域廃熱等により作動媒体を加熱し、高温高圧状態の蒸気となった作動媒体を膨張機にて断熱膨張させ、該断熱膨張によって発生する仕事によって発電機を駆動させ、発電を行うシステムが例示される。
熱輸送装置としては、潜熱輸送装置が好ましい。潜熱輸送装置としては、装置内に封入された作動媒体の蒸発、沸騰、凝縮等の現象を利用して潜熱輸送を行うヒートパイプおよび二相密閉型熱サイフォン装置が挙げられる。ヒートパイプは、半導体素子や電子機器の発熱部の冷却装置等、比較的小型の冷却装置に適用される。二相密閉型熱サイフォンは、ウィッグを必要とせず構造が簡単であることから、ガス−ガス型熱交換器、道路の融雪促進および凍結防止等に広く利用される。
【実施例】
【００７２】
以下、実施例により本発明を説明するが、本発明は以下の実施例に限定されない。例１〜３、５、７、９が実施例であり、例４、６、８、１０が比較例である。【００７３】
［例１〜１０］
ＨＦＯ−１１２３と、ＨＦＣ−３２および／またはＨＦＯ−１２３４ｙｆを表３に示す割合で含み、かつ作動媒体に対してＨＦＯ−１１３２ａを同表に示す割合で含有する作動媒体を作製した。そして、これらの作動媒体について、以下の方法で、冷凍サイクル性能（以下、冷凍能力Ｑという。）を測定した。
なお、冷凍能力Ｑは負荷流体を冷凍する能力を意味しており、Ｑが高いほど同一のシステムにおいて、多くの仕事ができることを意味している。言い換えると、大きなＱを有する場合は、少量の作動媒体で目的とする性能が得られることを表しており、システムの小型化が可能となる。【００７４】
［冷凍能力Ｑの測定］
冷凍能力Ｑの測定は、図１に示す冷凍サイクルシステム１０に作動媒体を適用して、図２に示す熱サイクル、すなわちＡＢ過程で圧縮機１１による断熱圧縮、ＢＣ過程で凝縮器１２による等圧冷却、ＣＤ過程で膨張弁１３による等エンタルピ膨張、ＤＡ過程で蒸発器１４による等圧加熱を実施した場合について行った。【００７５】
なお、図１に示す冷凍サイクルシステム１０は、作動媒体（蒸気）を圧縮する圧縮機１１と、圧縮機１１から排出された作動媒体の蒸気を冷却し液体とする凝縮器１２と、凝縮器１２から排出された作動媒体（液体）を膨張させる膨張弁１３と、膨張弁１３から排出された液状の作動媒体を加熱して蒸気とする蒸発器１４とを備える。この冷凍サイクルシステム１０において、作動媒体は、蒸発時、蒸発器１４の入口から出口に向かい温度が上昇し、反対に凝縮時、凝縮器１２の入口から出口に向かい温度が低下する。冷凍サイクルシステム１０においては、蒸発器１４および凝縮器１２において、作動媒体と対向して流れる水や空気等の熱源流体との間で熱交換を行うことにより構成されている。熱源流体は、冷凍サイクルシステム１０において、蒸発器１４では「Ｅ→Ｅ’」で示され、凝縮器１２では「Ｆ→Ｆ’」で示される。【００７６】
測定条件は、蒸発器１４における作動媒体の平均蒸発温度を０℃、凝縮器１２における作動媒体の平均凝縮温度を４０℃、凝縮器１２における作動媒体の過冷却度（ＳＣ）を５℃、蒸発器１４における作動媒体の過熱度（ＳＨ）を５℃として実施した。【００７７】
蒸発器において、熱源流体としてフッ素系ブライン（アサヒクリンＡＥ−３０００：旭硝子株式会社製）を用い、蒸発器１４での熱交換の前後の熱源流体の温度と流量から、作動媒体の冷凍能力Ｑを求めた。【００７８】
冷凍能力Ｑの評価結果を、表３に示す。表３において、各作動媒体組成物中のＨＦＯ−１１３２ａの含有量が０ｐｐｍの時の冷凍能力Ｑを１とした際の相対能力の値が１以上を◎（優）、０．９〜１以上を○（良）、０．７〜０．９の場合を△（やや不良）、０．７未満を×（不良）と評価して記載した。【００７９】
【表３】
2014178353.tif 000014
【００８０】
表３から、ＨＦＯ−１１２３と、ＨＦＣ−３２および／またはＨＦＯ−１２３４ｙｆと、ＨＦＯ−１１３２ａとを含み、かつＨＦＯ−１１３２ａの含有量の作動媒体に対する割合が１．５質量％未満となっている例１〜３、５、７、９の作動媒体は、冷凍能力Ｑに優れることがわかる。これに対して、ＨＦＯ−１１３２ａの含有量の作動媒体に対する割合が１．５質量％以上である例４、６，８，１０の作動媒体は、冷凍能力Ｑが不良である。
【産業上の利用可能性】
【００８１】
本発明の熱サイクル用作動媒体は、冷凍・冷蔵機器（内蔵型ショーケース、別置型ショーケース、業務用冷凍・冷蔵庫、自動販売機、製氷機等）、空調機器（ルームエアコン、店舗用パッケージエアコン、ビル用パッケージエアコン、設備用パッケージエアコン、ガスエンジンヒートポンプ、列車用空調装置、自動車用空調装置等）、発電システム（廃熱回収発電等）、熱輸送装置（ヒートパイプ等）に利用可能である。
なお、２０１３年４月３０日に出願された日本特許出願２０１３−０９５４９１号および２０１４年２月２０日に出願された日本特許出願２０１４−０３０８５５号の明細書、特許請求の範囲、図面及び要約書の全内容をここに引用し、本発明の明細書の開示として、取り入れるものである。
【符号の説明】
【００８２】
１０…冷凍サイクルシステム、１１…圧縮機、１２…凝縮器、１３…膨張弁、１４…蒸発器、１５，１６…ポンプ。
【図１】
2014178353.tif 000015
【図２】
2014178353.tif 000016
【国際調査報告】
2014178353.tif 000017
2014178353.tif 000018